(57)【要約】【課題】  いろいろな入浴姿勢でも、風呂蓋をする時にも浴槽用枕を取外す必要のない、浴槽を提供する。  【解決手段】  入浴時に入浴者の後頭部が位置する当接面の浴槽底面を基準面とした際の勾配を、入浴者の背中が当接する面の勾配より緩やかになるよう浴槽を形成し、緩やかに形成した面に浴槽用枕を配設可能な取り付け面としたことを特徴とした浴槽なので、入浴者が快適に入浴を行う際に浴槽用枕を容易に設置することができる。また浴槽用枕を設置した状態では、浴槽のリム面より低くなるように設置したので、浴槽に浴槽用枕を設置したまま風呂蓋をすることができ、いちいち浴槽用枕を外す必要がない。また、浴槽用枕の形状に合わせた風呂蓋を作成する必要もない。【選択図】  図２
2005270387.tif 000002
【特許請求の範囲】
【請求項１】
入浴時に入浴者の後頭部が位置する当接面の浴槽底面を基準面とした際の勾配を、入浴者の背中が当接する面の勾配より緩やかになるよう浴槽を形成し、前記緩やかに形成した面に浴槽用枕を配設可能な取り付け面としたことを特徴とする浴槽。
【請求項２】
入浴時に入浴者の後頭部が位置する当接面の浴槽底面を基準面とした際の勾配を、入浴者の背中が当接する面の勾配より緩やかになるよう浴槽を形成し、前記緩やかに形成した面に浴槽用枕を設け、前記浴槽用枕は設置状態において前記浴槽のリム面より低くなるように設置したことを特徴とする浴槽。
【請求項３】
前記浴槽用枕は前記入浴者の背中が当接する面の延長線から浴槽内方に突出しないよう設置したことを特徴とする請求項２記載の浴槽。
【請求項４】
前記浴槽用枕は、浴槽と当接する部分に吸盤が浴槽用枕本体と一体に成形されていることを特徴とする請求項２及び３に記載の浴槽。
【発明の詳細な説明】
【技術分野】
【０００１】
本発明は入浴を快適に行う浴槽に関する。
【背景技術】
【０００２】
従来浴槽１０１にゆったり入浴できるように、入浴時に後頭部を当てたりあるいは載せたりする浴槽用枕１０２を浴槽の縁部に設置したものがある（図４）。一般的に浴槽用枕１０２は、図示のように浴槽の上面側及び内層面側に突出するように設置されている。また、浴槽用枕１０２は、後頭部を載せたりした時の感触を柔らかくする目的で通常樹脂の発泡材で成形されているため、浴槽の満水時や浴槽から溢れる時の湯水で前記枕が流されないように枕本体とは別部材のネジや吸盤で浴槽に固定していた。
【０００３】
しかしながら、浴槽用枕が浴槽の上面側に突出すると入浴後に風呂蓋を置く時にいちいち浴槽用枕を外す必要が生じてしまう。浴槽用枕に形状を合わせた風呂蓋を作成すればよいが、コスト高になってしまうのと、浴槽用枕が汚れたり劣化したりして使用しなくなった時に風呂蓋の形状が合わなくなってしまう。
【０００４】
さらに、浴槽用枕が浴槽の内層面側に突出すると、浴槽用枕に後頭部を載せるような入浴姿勢であれば問題ないが、上半身を起こした入浴姿勢の時、背中が浴槽用枕に突き当たり違和感が生じ、この場合もいちいち浴槽用枕を外す必要が生じてしまう。
【０００５】
また、浴槽用枕を固定するのに浴槽用枕本体と別体のネジや吸盤を使うと、その部材分の材料費、組立費がかかりコスト高になってしまう。加えて、その部材を組み込む為の浴槽枕本体の厚みが必要になり浴槽用枕の意匠が浴槽形状に影響することがあるため意匠の自由度が小さくなってしまう。  
【０００６】
【特許文献１】特開２００３―２９０６０公報
【発明の開示】
【発明が解決しようとする課題】
【０００７】
本発明は、上記問題を解決するためになされたもので、本発明の課題は、浴槽用枕を浴槽に取付けた状態で風呂蓋を設置できる、また浴槽用枕を浴槽に取付けた状態でいろいろな入浴姿勢で違和感なく入浴できる、さらに浴槽用枕の構造が浴槽本体の形状に影響しないような浴槽を提供することである。
【課題を解決するための手段】
【０００８】
上記目的を達成するために請求項１では、入浴時に入浴者の後頭部が位置する当接面の浴槽底面を基準面とした際の勾配を、入浴者の背中が当接する面の勾配より緩やかになるよう浴槽を形成し、緩やかに形成した面に浴槽用枕を配設可能な取り付け面としたことを特徴とした。
【０００９】
上記目的を達成するために請求項２では、入浴時に入浴者の後頭部が位置する当接面の浴槽底面を基準面とした際の勾配を、入浴者の背中が当接する面の勾配より緩やかになるよう浴槽を形成し、緩やかに形成した面に浴槽用枕を設け、浴槽用枕は設置状態において浴槽のリム面より低くなるように設置したことを特徴とした。
【００１０】
上記目的を達成するために請求項３では請求項２記載の発明において、浴槽用枕は入浴者の背中が当接する面の延長線から浴槽内方に突出しないよう設置したことを特徴とした。
【００１１】
上記目的を達成するために請求項４では請求項２記載の発明において、浴槽用枕は、浴槽と当接する部分に吸盤が浴槽用枕本体と一体に成形されていることを特徴とした。
【発明の効果】
【００１２】
本発明によれば次の効果を発揮する。
入浴者が入浴行為を快適に過ごすための浴槽用枕を容易に設置することができる浴槽を提供することで、健康に良いとされる半身浴等の際、無理な姿勢をすることなく長時間の入稿が可能になる。
【発明を実施するための最良の形態】
【００１３】
本発明の実施の形態を図面に基づいて説明する。
図１は本発明における実施の形態で浴槽に浴槽用枕をセットした状態の斜視図を示す。図２は同じく断面図を示す。
【００１４】
浴槽１は入浴時に入浴者の後頭部が位置する当接面の浴槽底面１ａを基準面とした際の勾配を、入浴者の背中が当接する面の勾配より緩やかになるように形成している。そして、入浴時に入浴者の後頭部が位置する当接面である後頭部当接面３はその上端が浴槽１のリム面４につながっている。
【００１５】
浴槽用枕５は浴槽１の後頭部当接面３に必要に応じて取り付けられるようになっており、本実施例では浴槽底面からの入浴者の背中が当接する面の勾配より緩やかになるように形成している。この背側立面２は入浴者がゆったり入浴できるように勾配が付けられている。この勾配より緩やかな後頭部当接面３を設けることにより、入浴者は入浴の際腰から首筋まで背側立面２と隙間が開くことなく密着した形で入浴姿勢を保持できるので、特に腰の部分や首の部分に過度な負担が掛かり難いため、入浴者が必要以上に頭を屈む姿勢をとらなくて良く、長時間の入浴にも苦痛になり難いように工夫されている。
【００１６】
浴槽用枕５は入浴者の必要に応じて着脱できる仕様になっているが、この浴槽枕５を必要な場合であっても、後頭部当接面３に浴槽用枕５を取り付けても背側立面２より浴槽枕５の前端部７が浴槽の内層側へ突出することはない。また、浴槽用枕５の上端部６が浴槽リム面４の高さａより低くなるようになっているため、入浴後に浴槽１の上面に風呂蓋８を載置する際に邪魔にならない。浴槽１の上面から浴槽用枕５が突出することがないので、浴槽１毎に風呂蓋８の形状が異なるようにはならないので、風呂蓋８の形状を浴槽枕を備えた浴槽１毎に風呂蓋８を品揃えする必要がない。
【００１７】
また浴槽用枕５は、後頭部を載せた時に弾力性を感じるように発泡ポリエチレンや発泡ウレタンといった樹脂の発泡材で成形されており、浴槽１の後頭部当接面３と当接する面９には、吸盤部１０が枕本体と一体で成形されている。（図３）この吸盤部１０を浴槽面に押し付けることで浴槽用枕５が浴槽１に固定される。本実施例では、比較的小さい吸盤を複数個形成しているが、浴槽に固定できれば吸盤１０の大きさ、個数は限定されない。
このように構成することによって、浴槽用枕が取付け構造を含めて安価になり、また別部材を組み込む為の厚みも必要ないので、意匠的な自由度が増し、枕本体も安価にできる。
【００１８】
このように浴槽用枕５が設置された状態で、使用者は浴槽１の背側立面２に背中を当て、浴槽用枕５に後頭部を載せることでゆったりとした姿勢で入浴することができる。
【００１９】
このとき、身体が温まって上半身を起こし、肩の位置が浴槽リム面４よりも高くなるような姿勢で背側立面２に背中を当てても、浴槽用枕５の前端部７が背側立面２の延長面ｂより浴槽１の内層側に突出しないようになっているので、前端部７が使用者の背中に突き当たることがなく、浴槽用枕５を取り付けたままで違和感なく入浴できるので半身浴等を行う際にも好適である。更に、浴槽リム面４に腰を掛ける際も浴槽用枕５が上方にでっぱらないので使い勝手も良い。
【００２０】
また、入浴後に風呂蓋８を浴槽リム面４に載せる時にも、浴槽用枕５の上端部６が浴槽リム高さａよりも低いので浴槽用枕５を取り付けたままで風呂蓋８を設置できる。
【００２１】
また、浴槽用枕５に固定用の吸盤１０が一体で成型されているので、固定用のネジや吸盤が枕本体と別部材で構成されている場合に比べて浴槽用枕５の厚みを薄くすることができるので、浴槽１の後頭部当接面３を大きく確保しなくても、浴槽用枕５を浴槽リム面高さａより低く、かつ、背側立面２の延長面ｂより突出しないように設置できる。これにより、浴槽用枕５を設置しない状態でも、後頭部当接面３に後頭部を載せて違和感なくゆったり入浴できる浴槽形状が可能になる。さらに、浴槽用枕５そのものの意匠の自由度が大きくなるのと、部材点数が減り組み込み加工も必要なくなるためコストも下げることができる。
【図面の簡単な説明】
【００２２】
【図１】本発明の実施形態を示す浴槽及び浴槽用枕の斜視図である。
【図２】本発明の実施形態を示す浴槽及び浴槽用枕の断面図である。
【図３】本発明の実施形態を示す浴槽用枕の断面斜視図である。
【図４】従来の浴槽及び浴槽用枕の断面図である。
【符号の説明】
【００２３】
１ 浴槽
1ａ浴槽底面
２ 背側立面
３ 後頭部当接面
４ 浴槽リム面
５ 浴槽用枕
６ 上端部
７ 前端部
８ 風呂蓋
１０ 吸盤
ａ 浴槽リム高さ
ｂ 浴槽背側立面の延長面
【図１】
2005270387.tif 000003
【図２】
2005270387.tif 000004
【図３】
2005270387.tif 000005
【図４】
2005270387.tif 000006